(57)【要約】   【課題】建物の傾斜する取付壁に軒樋を軒樋吊具に水平状態で安定して取付けることができるスライド式の軒樋吊具の構造を提供する。  【解決手段】軒樋吊具２１は、軒樋２２を吊下げる略水平状の吊下部材２３と吊下部材２３から角度αで傾斜する固着部材２４とが楔材３５を介して連結される。吊下部材２３は中央部２６において断面矩形板状の上板材２３ａと下板材２３ｂが水平且つ平行に配置される。吊下部材２３と固着部材２４と楔材３５に、二組の長孔から成る第一取付孔３７ａと第二取付孔３７ｂと第三取付孔３７ｃとがそれぞれ形成され、ボルト３８ａとナット３８ｂから成る固着具３８で一体的に固着される。楔材３５の第三取付孔３７ｃは一方の面３５ａから他方の面３５ｂに掛けて連続的に直径Ｄ１からＤ２に拡径する円筒形状で、他方の面３５ｂを上方に向けて用いる。【選択図】  図１
2009228375.tif 000002
【特許請求の範囲】
【請求項１】
軒樋を建物に固着するスライド式の軒樋吊具の構造であって、
前記軒樋吊具は軒樋を吊下げる略水平状の吊下部材とこの吊下部材をスライド自在に連結して建物に固着する固着部材とから成り、
前記吊下部材と前記固着部材は断面三角形状の楔材を挟んで勾配が形成され、前記吊下部材と前記固着部材と前記楔材にそれぞれ形成される第一取付孔と第二取付孔と第三取付孔とを連通し前記固着部材に対して直角にボルト・ナット等の固着具で固着されることを特徴とする軒樋吊具の構造。
【請求項２】
請求項１記載の軒樋吊具の構造であって、前記第一取付孔は長孔で前記第三取付孔は前記楔材の一方の面から他方の面に掛けて連続的に拡径する円錐筒形状であることを特徴とする軒樋吊具の構造。
【請求項３】
請求項１又は請求項２に記載の軒樋吊具の構造であって、前記楔材の第三取付孔は楔形状の先端部に亘って前記固着具を前記楔材の先端部から挿入する溝部を備えることを特徴とする軒樋吊具の構造。
【請求項４】
請求項１乃至請求項３のいずれか一項に記載の軒樋吊具の構造であって、前記固着部材の両側部に前記吊下部材の両側部を平行に覆う突出部を備えることを特徴とする軒樋吊具の構造。
【請求項５】
請求項１乃至請求項４のいずれか一項に記載の軒樋吊具の構造であって、前記吊下部材の下面に前記固着具の傾斜した先端部を収容する窪み部が形成されることを特徴とする軒樋吊具の構造。
【発明の詳細な説明】
【技術分野】
【０００１】
本発明は軒樋を建物に固着するスライド式の軒樋吊具の構造に関し、建物の鼻板の勾配に対応して取付勾配の調整をして軒樋を水平状態に安定して取付けることができる軒樋吊具の構造に関する。
【背景技術】
【０００２】
従来、図８に示すように、軒樋吊具の吊下部材１の屋外側の一端部に軒樋の屋外側耳部を支持する先端係止部１１と、屋内側の他端部に軒樋の屋内側耳部を支持する後端係止部１２が設けられている。吊下部材１の中央部は下方に窪んでおり、長手方向に沿ってボルト挿入用の図示しない長孔が上下方向に開口して設けられている。中央部の上面には、幅方向に多数の溝１４、１４・・・が設けられている。
【０００３】
固着部材２は、所定幅のステンレス製板を屈曲加工して製作したものであり、その屋内側の一端部には鼻隠し板にビスにて固定される取付部１５が、屋外側の他端部には傾斜部１６が設けられている。取付部１５と傾斜部１６は水平部１７にて連結される。傾斜部１６にはボルト３を挿入するための図示しない孔が上下に貫通して設けられている。
【０００４】
そして、吊下部材１のほぼ中央部の溝１４に固着部材２の傾斜部１６の先端を当接し、く字状に屈曲された板バネ５をボルト３の軸部３ａに挿通した状態で吊下部材１の上面と傾斜部１６の下面との間に介在させ、蝶ナット４を締め付ける。なお、ボルト３の頭部３ｂと傾斜部１６の上面との間にも板バネ５が介在される。
【特許文献１】特開平９−１７０３１６号公報
【発明の開示】
【発明が解決しようとする課題】
【０００５】
ところが、特許文献１の軒樋吊具の構造は、稀ではあるがバネ材である板バネ５が強風時等に共振して吊具本体１と軒樋が揺れて安定しないという問題があった。
【０００６】
そこで、本発明は建物の取付壁が傾斜する場合に軒樋を軒樋吊具に水平状態で安定して取付けることができるスライド式の軒樋吊具の構造を提供することを目的とするものである。 
【課題を解決するための手段】
【０００７】
請求項１の発明は、軒樋を建物に固着するスライド式の軒樋吊具の構造であって、前記軒樋吊具は軒樋を吊下げる略水平状の吊下部材とこの吊下部材をスライド自在に連結して建物に固着する固着部材とから成り、前記吊下部材と前記固着部材は断面三角形状の楔材を挟んで勾配が形成され、前記吊下部材と前記固着部材と前記楔材にそれぞれ形成される第一取付孔と第二取付孔と第三取付孔とを連通し前記固着部材に対して直角にボルト・ナット等の固着具で固着されることを特徴としている。
【０００８】
請求項２の発明は、請求項１記載の軒樋吊具の構造であって、前記第一取付孔は長孔で前記第三取付孔は前記楔材の一方の面から他方の面に掛けて連続的に拡径する円錐筒形状であることを特徴としている。
【０００９】
請求項３の発明は、請求項１又は請求項２に記載の軒樋吊具の構造であって、前記楔材の第三取付孔は楔形状の先端部に亘って前記固着具を前記楔材の先端部から挿入する溝部を備えることを特徴としている。
【００１０】
請求項４の発明は、請求項１乃至請求項３のいずれか一項に記載の軒樋吊具の構造であって、前記固着部材の両側部に前記吊下部材の両側部を平行に覆う突出部を備えることを特徴としている。
【００１１】
請求項５の発明は、請求項１乃至請求項４のいずれか一項に記載の軒樋吊具の構造であって、前記吊下部材の下面に前記固着具の傾斜した先端部を収容する窪み部が形成されることを特徴としている。
【発明の効果】
【００１２】
請求項１の発明によれば、前記吊下部材と前記固着部材は断面三角形状の楔材を挟んで勾配が形成され、前記吊下部材と前記固着部材と前記楔材にそれぞれ形成される第一取付孔と第二取付孔と第三取付孔とを連通し前記固着部材に対して直角にボルト・ナット等の固着具で固着される。このように、前記吊下部材と前記固着部材は断面三角形状の楔材を挟んで固着具によって勾配が形成されるので、軒樋を確実に安定して略水平に保持できる。また、楔材を用いるだけなので製作コストが安価である。
【００１３】
請求項２の発明によれば、前記第一取付孔は長孔なので前記固着部材に対して前記吊下部材の建物からの水平取付位置をスライド自在に容易に調整できる。前記第三取付孔は前記楔材の一方の面から他方の面に掛けて連続的に拡径する円錐筒形状であるので、前記楔材の拡径した他方の面を上方にして使用すると前記固着部材に隠れて見えない前記楔材の第三取付孔にボルトを容易に挿入できる。このため、現場作業が簡単になり、請求項１の効果と同様の効果が得られる。
【００１４】
請求項３の発明によれば、前記楔材の第三取付孔は楔形状の先端部に亘って前記固着具を前記楔材の先端部から挿入する溝部を備えるので、前記楔材を先端部からこの溝部にそってボルトに容易に挿着できるので現場作業が簡単になり、請求項１の効果と同様の効果が得られる。
【００１５】
請求項４の発明によれば、前記固着部材の両側部に前記吊下部材の両側部を平行に覆う突出部を備えるので、傾斜した状態の前記吊下部材が前記固着部材の両端部を安定して保持できて、請求項１の効果と同様の効果が得られる。
【００１６】
請求項５の発明によれば、前記吊下部材の下面に前記固着具の傾斜した先端部を収容する窪み部が形成されるので、前記固着具のナットの下面部が傾いて浮上がることなくナットの下面部をボルトの軸芯方向に向けて前記吊下部材に圧着できるので、請求項１の効果と同様の効果が得られる。
【発明を実施するための最良の形態】
【００１７】
＜軒樋吊具の構造の構成＞  
以下に、本発明の第一の実施形態を図１〜図３に基づいて説明する。図１、図２、図３に示すように、軒樋吊具２１は、軒樋２２を吊下げる略水平状の吊下部材２３とこの吊下部材２３から上方に角度αで傾斜する固着部材２４とが楔材３５を介して連結される。固着部材２４は建物側の垂直線Ｈから角度αで傾斜している鼻板２５に固着される。
【００１８】
吊下部材２３の形状は固着部材２４が固着する中央部２６において断面矩形板状の上板材２３ａと下板材２３ｂが平行に配置され、上板材２３ａと下板材２３ｂは先端部２３ｃで交わるとともに先端部２３ｃに先端係止部２７が形成される。同様に、上板材２３ａと下板材２３ｂは後端部２３ｄで交わるとともに後端部２３ｄに後端係止部２８が形成される。断面凹状の軒樋２２がその前耳２２ａと後耳２２ｂをそれぞれ先端係止部２７と後端係止部２８に係止されて吊下げられる。
【００１９】
固着部材２４は、吊下部材２３の上板材２３ａの両側面２３ｅを覆うように天板２４ａと両側板２４ｂで形成され、固着部材２４の先端部３０の近傍においては両側板２４ｂは天板２４ａより下方に断面コ字状に形成されるが、固着部材の中央部３１から後端部３２に亘っては両側板２４ｂは天板２４ａから上方にも延設され断面Ｈ字状に形成される。後端部３２には天板２４ａと直角に基部３３を備え、この基部３３を介して固着部材２４は建物の鼻板２５に固着される。
【００２０】
ここで、固着部材２４の第一取付孔３７ａは円形で、吊下部材２３の上板材２３ａと下板材２３ｂに形成される第二取付孔３７ｂは長孔で形成される。楔材３５の第三取付孔３７ｃは一方の面３５ａから他方の面３５ｂに掛けて連続的に直径Ｄ１からＤ２に拡径（Ｄ１＜Ｄ２）する円錐筒形状で、第三取付孔３７ｃは他方の面３５ｂに対して直角に形成され、他方の面３５ｂが上方に向いた状態で用いられる。
【００２１】
これらの取付孔をボルト３８ａとナット３８ｂから成る固着具３８で連通して吊下部材２３と固着部材２４と楔材３５とは一体的に固着される。
【００２２】
このように、吊下部材２３の二組の第二取付孔３７ｂは長孔で形成されるので、吊下部材２３は固着部材２４に対して建物からの取付位置をスライド自在に容易に調整できるとともに、吊下部材２３に対して固着具３８が傾斜し楔材３５によって吊下部材２３が水平状態になるように容易に角度調整できる。
【００２３】
なお、ナット３８ｂの下面部３８ｃの形状は球面状に形成されるので、ボルト３８ａの傾斜の角度αが略１０度以内であればナット３８ｂは吊下部材２３の略水平の下板材２３ｂに安定して圧着固定することができる。
【００２４】
軒樋吊具２１と楔材３５に使用される材料は、亜鉛鍍金鋼板やステンレス材或いは硬質樹脂材が用いられる。
【００２５】
＜軒樋吊具の構造の作用＞
吊下部材２３と固着部材２４は楔材３５と固着具３８を用いてガタなく一体的に固着できて軒樋２２を安定して吊下げることができる。また、楔材３５の第三取付孔３７ｃは拡径する他方の面３５ｂを上方に向けて使用されるので、楔材３５の挿入時に固着部材２４の天板２４ａに隠れて見えない楔材３５の第三取付孔３７ｃに容易に挿入することができるので作業効率が向上する。
【００２６】
従来、軒樋吊具が樹脂製の場合には勾配調整が困難なので勾配毎の軒樋吊具を製作する必要があるため、数種類の金型を用意するとコストが高くなるという問題があったが、本実施例によれば軒樋吊具が樹脂製の場合でも単純で小さな楔材３５を用いるだけで勾配調整ができるので金型不要で製作コストが安価にできる。
【００２７】
＜本発明の第二の実施形態＞
本発明の第二の実施形態を図４、図５に基づいて説明するが、図１に示す吊金具の構成と同様の構成部分については図面に同符号を付して重複した説明を省略し、図２と図３に示す構成とは同様であるのでその説明および図面を省略する。
【００２８】
楔材３５は二組使用され、第三取付孔３７ｃは互いの他方の面３５ｂを上向きにして用いられので、吊下部材２３と固着部材２４を角度２αで傾斜させることができてボルト３０ａを容易に挿入できる。このように、一種類の楔材３５を二組使用するだけで簡単に異なる傾斜角度が得られるのでコストダウンが図れる。
【００２９】
＜本発明の第三の実施形態＞
本発明の第三の実施形態を図６に基づいて説明するが、楔材４０は先端角度βで、第三取付孔３７ｃの位置から楔形状の先端部３５ｃに亘り連続した溝部３７ｄが形成され、一方の面３５ａから他方の面３５ｂに掛けて同じ幅Ｄ２で形成される。このため、固着具３８のボルト３８ａに対して楔材４０を後から先端部３５ｃから挿入することができるので、吊下部材２３と固着部材２４の傾斜角の微調整が必要な場合等にはボルト３８ａを引抜く必要がないので現場調整作業が容易にできる。
【００３０】
＜本発明の第四の実施形態＞
本発明の第四の実施形態を図７に基づいて説明するが、図１に示す吊金具の構成と同様の構成部分については図面に同符号を付して重複した説明を省略する。固着部材２４の両側板２４ｂに吊下部材２３の上板材２３ａの両側面２３ｅと平行に両側面２３ｅを覆う突出部４１を備えるので、吊下部材は突出部４１によって揺れを防止して保持されるので吊下部材２３の安定性が向上する。
【００３１】
さらに、吊下部材２３の下板材２３ｂの下面２３ｆに固着具３８の傾斜したナット３８ｂを収容する窪み部４２が形成されるので、ナット３８ｂの下面部３８ｃの一部分が窪み部４２に挿入するので、ナット３８ｂはボルト３８ａに対して偏圧することなく安定して吊下部材２３の下板材２３ｂの下面２３ｆを圧着できる。このため、吊下部材２３の安定性が向上する。なお、窪み部４２によって、ナット３８ｂの下面部３８ｃが球面状でなく平面状のナットでも吊下部材２３の下板材２３ｂに安定して圧着できる。
【００３２】
以上、本発明の実施例を図面に基づいて説明したが、具体的な構成はこの実施例に限られるものではなく本発明の要旨を逸脱しない範囲の設計変更等があっても本発明に含まれる。
【００３３】
例えば、楔材３５は三組以上の枚数で使用することもできる。この場合、ボルト３８ａを三組以上の楔材３５に直線状に挿入するため三枚目以降の取付孔の傾斜角度は必要により微調整される。楔材３５の第三取付孔３７ｃは拡径せずに同径筒状でも使用できる。固着具３８はボルト３８ａを下方から挿入しナット３８ｂを上方に配置する構成でも構わない。
【図面の簡単な説明】
【００３４】
【図１】本発明の第一の実施形態における、軒樋吊具２１の吊下部材２３と固着部材２４が楔材３５を介して連結された状態を示す側面図である。
【図２】本発明の第一の実施形態における、図１のＡ−Ａ断面図である。
【図３】本発明の第一の実施形態における楔材３５の斜視図である。
【図４】本発明の第二の実施形態における、軒樋吊具２１の吊下部材２３と固着部材２４が二組の楔材３５を介して連結された状態を示す側面図である。
【図５】本発明の第二の実施形態における、二組の楔材３５の第三取付孔３７ｃの中心を合わせた状態を示す断面図である。
【図６】本発明の第三の実施形態における、楔材４０の斜視図である。
【図７】本発明の第四の実施形態における、軒樋吊具２１の吊下部材２３と固着部材２４が楔材３５を介して連結され、吊下部材２３の下板材２３ｂの下面２３ｆに窪み部４２が形成された状態を示す側面図である。
【図８】従来の吊具本体１と取付体２が板バネ５を介して固着された状態を示す側面図である。
【符号の説明】
【００３５】
２１  軒樋吊具
２２  軒樋
２３  吊下部材
２３ａ  上板材
２３ｂ  下板材
２４  固着部材
２６  中央部
３５  楔材
３５ａ  一方の面
３５ｂ  他方の面
３７ａ  第一取付孔
３７ｂ  第二取付孔
３７ｃ  第三取付孔
３８  固着具
３８ａ  ボルト
３８ｂ  ナット
【図１】
2009228375.tif 000003
【図２】
2009228375.tif 000004
【図３】
2009228375.tif 000005
【図４】
2009228375.tif 000006
【図５】
2009228375.tif 000007
【図６】
2009228375.tif 000008
【図７】
2009228375.tif 000009
【図８】
2009228375.tif 000010